【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
可撓性構造膨張デバイスであって、
材料のウェブの第１の重複フィルム層と第２の重複フィルム層との間に挿入するために構成されている膨張ノズルであって、前記膨張ノズルは、前記層間に前記ウェブを膨張させるための流体を向かわせ、かつ側方開口部を画定するように構成されている、それを通って延びている流体導管を有する、膨張ノズルと、
動作位置に保持される切断部材であって、前記動作位置において、前記切断部材は、前記膨張ノズルを覆って通過する前記フィルムを切断するために、前記膨張ノズルの前記側方開口部内に部分的に受け取られる、切断部材と、
前記切断部材と前記膨張ノズルとを関連付け、前記切断部材を前記動作位置と非動作位置との間で誘導するガイドであって、前記非動作位置において、前記切断部材は、前記ガイドが、前記切断部材を前記側方開口部の中へと、および前記側方開口部から移動させるように、前記ガイドに関連付けられた状態を維持する、ガイドと
を備えている、可撓性構造膨張デバイス。
【請求項２】
前記切断部材を保持しているカッタホルダをさらに備え、前記切断部材は、前記カッタホルダを介して、膨張アセンブリに対して磁気的に保持される、請求項１に記載の可撓性構造膨張デバイス。
【請求項３】
前記カッタホルダを含むカッタセンブリと、ドアとをさらに備え、前記ドアは、前記カッタホルダに従属し、前記ドアは、前記カッタホルダ内の前記切断部材に対して、前記動作位置において前記切断部材を露出させる開放位置と、前記非動作位置において前記切断部材の鋭利な部分を覆う閉鎖位置との間で移動可能である、請求項２に記載の可撓性構造膨張デバイス。
【請求項４】
前記ガイドは、前記膨張アセンブリに関連付けられたトラックを含み、前記トラックは、前記膨張アセンブリに向かって案内し、および前記膨張アセンブリから離れるように案内し、
前記カッタホルダは、前記動作位置と前記非動作位置との間で前記トラックによって誘導されるフォロアを含む、請求項３に記載の可撓性構造膨張デバイス。
【請求項５】
前記側方開口部は、スロットであり、前記切断部材は、ブレードである、請求項１に記載の可撓性構造膨張デバイス。
【請求項６】
前記流体を前記ウェブ内に捕捉するために前記第１および第２の層を一緒にシールし、膨らまされたクッションを提供するように配置および構成されているシールアセンブリをさらに備えている、請求項１に記載の可撓性構造膨張デバイス。
【請求項７】
可撓性構造膨張デバイスであって、
フィルムの第１の層と第２の層との間に配置されているクッション空洞を流体で膨張させるために構成されている流体導管を有する膨張アセンブリと、
前記膨張アセンブリを覆って通過するフィルムを切断するための前記膨張アセンブリに隣接した動作位置を有する切断部材と、
前記膨張アセンブリを前記切断部材に関連付け、前記切断部材を前記動作位置と非動作位置との間で誘導するガイドと
を備えている、可撓性構造膨張デバイス。
【請求項８】
前記切断部材を前記動作位置に磁気的に保持する磁石をさらに備えている、請求項７に記載の可撓性構造膨張デバイス。
【請求項９】
前記切断部材を保持し、前記ガイドに関連付けられているカッタホルダをさらに備え、前記ガイドは、前記ホルダの移動を誘導し、前記切断部材を前記動作位置と前記非動作位置との間で移動させ、
前記非動作位置において、前記切断部材は、前記ガイドから除去可能かつ交換可能である、請求項７に記載の可撓性構造膨張デバイス。
【請求項１０】
前記ガイドは、前記膨張アセンブリに関連付けられたトラックを含み、前記トラックは、前記膨張アセンブリに向かって案内し、および前記膨張アセンブリから離れるように案内し、
前記カッタホルダは、前記動作位置と前記非動作位置との間で前記トラックによって誘導されるフォロアを含む、請求項９に記載の可撓性構造膨張デバイス。
【請求項１１】
前記トラックは、前記カッタホルダをカッタ経路に沿って誘導し、前記トラックは、前記フォロアが、前記トラックに沿った種々の場所において、前記トラックから除去されること、またはその上に位置付けられることを可能にするために、前記経路に対して横の片側が開放されている、請求項１０に記載の可撓性構造膨張デバイス。
【請求項１２】
前記ガイドは、前記切断部材を、カッタ経路に沿って前記膨張アセンブリに向かって誘導し、および前記膨張アセンブリから離れるように誘導するように構成されており、
前記非動作位置は、前記カッタ経路に沿って延びている非動作ゾーン内の非動作位置の範囲を含み、
前記カッタホルダは、前記非動作ゾーン内の任意の場所において、前記カッタ経路に対して横方向に前記ガイドから除去されるように構成されている、請求項９に記載の可撓性構造膨張デバイス。
【請求項１３】
前記ガイドは、前記膨張アセンブリに関連付けられたトラックを含み、前記トラックは、カッタ経路に沿って前記膨張アセンブリに向かって案内し、および前記膨張アセンブリから離れるように案内し、
前記カッタホルダを前記トラックに取り付けるフォロアをさらに含み、前記フォロアは、前記カッタホルダが、前記トラックに沿った種々の場所において、前記カッタ経路に対して横方向に、前記トラック上に配置されること、または前記トラックから除去されることを可能にするように構成されている、請求項９に記載の可撓性構造膨張デバイス。
【請求項１４】
前記カッタホルダは、フォロアを含み、前記フォロアは、前記トラック内に受け取られる、請求項１３に記載の可撓性構造膨張デバイス。
【請求項１５】
前記膨張ノズルを覆って膨張方向に材料経路に沿って前記フィルムを前進させるように構成された駆動部材をさらに備え、
前記膨張ノズルは、前記第１の層と前記第２の層との間の膨張チャネル内に収まるように細長く、
前記膨張ノズルと動作関連する前記切断部材は、前記膨張チャネルを切り開き、前記第１および第２の層が前記膨張ノズルから離れて移動することを可能するように位置付けられている、請求項１４に記載の可撓性構造膨張デバイス。
【請求項１６】
前記切断部材は、前記動作位置において前記ノズルに対して静止して保持されているブレードであり、前記フィルムが前記材料経路に沿って移動させられるにつれて、前記チャネルを切り開く、請求項１５に記載の可撓性構造膨張デバイス。
【請求項１７】
細長い膨張ノズルは、前記第１の層と前記第２の層との間に画定される膨張チャネル内に縦方向に受け取られ、流体を前記第１の層と前記第２の層との間に向かわせるように構成され、かつ向けられている、請求項１５に記載の可撓性構造膨張デバイス。
【請求項１８】
シャトルまたは前記膨張ノズルに関連付けられた第１の磁石と、
磁気的に保持された前記シャトルまたは膨張アセンブリのうちの他方に関連付けられた磁気部材と
をさらに備え、前記第１の磁石および前記磁気部材は、前記シャトルを前記動作位置に磁気的に保持する、請求項１５に記載の可撓性構造膨張デバイス。
【請求項１９】
前記膨張アセンブリは、膨張ノズルを有し、前記流体導管は、前記膨張ノズルを通って延び、前記膨張ノズルは、前記第１の層と前記第２の層との間の膨張チャネル内に収まるように細長く、
前記動作位置において、前記切断部材は、前記膨張アセンブリ内に部分的に受け取られ、
前記非動作位置において、前記切断部材は、前記膨張アセンブリから間隔を空けられている、
請求項７に記載の可撓性構造膨張デバイス。
【請求項２０】
膨張可能クッション膨張デバイスであって、
フィルムの第１の層と第２の層との間に配置されているクッション空洞を流体で膨張させるために構成されている流体導管を有する膨張アセンブリと、
膨張アセンブリを覆って通過するフィルムを切断するための膨張アセンブリに隣接した動作位置に磁気的に保持されている切断部材を含むカッタセンブリと
を備え、
前記カッタセンブリは、ドアを含み、前記ドアは、前記動作位置において、前記切断部材を露出するように開放され、非動作位置において、前記切断部材の鋭利な部分を覆うように閉鎖される、膨張可能クッション膨張デバイス。
【請求項２１】
前記ドアは、前記カッタセンブリが前記動作位置から移動させられると、自動的に閉鎖するように構成されており、
前記ドアは、前記切断部材が前記動作位置に移動させられると、前記切断部材を露出するよう自動的に開放されるように構成されている、請求項２０に記載の膨張可能クッション膨張デバイス。
【請求項２２】
ガイド構造をさらに備え、前記ガイド構造は、前記膨張アセンブリを前記切断部材に関連付け、前記切断部材を前記動作位置と前記非動作位置との間で誘導し、切断アセンブリが前記動作位置と前記非動作位置との間で移動させられる場合、前記ドアを開放および閉鎖するように移動させる、請求項２１に記載の膨張可能クッション膨張デバイス。
【請求項２３】
前記ドアに取り付けられたフォロアに係合する第２のガイドをさらに含む、請求項２２に記載の可撓性構造膨張デバイス。
【請求項２４】
前記第２のガイドは、第２のトラックであり、前記第１のトラックおよび前記第２のトラックは、前記第２のトラックが、前記動作位置において前記ブレードから離れるように前記ドアを引っ張るように、前記トラックが前記動作位置に接近するにつれて逸れる、請求項２３に記載の可撓性構造膨張デバイス
【請求項２５】
可撓性構造膨張デバイスであって、
フィルムの第１の層と第２の層との間に配置されているクッション空洞を流体で膨張させるために構成されている流体導管を有する膨張ノズルと、
クッション部材を動作位置に保持するように構成されたシャトルであって、前記動作位置において、前記クッション部材の鋭利な部分は、露出され、前記膨張ノズルを覆って通過するフィルムを切断するために、前記膨張ノズルに隣接する、シャトルと、
前記動作位置と非動作位置との間に前記シャトルを誘導するように前記膨張ノズルをカッタセンブリと関連付けるガイドであって、前記非動作位置において、切断部材の鋭利な部分は、覆われている、ガイドと
を含む、可撓性構造膨張デバイス。
【請求項２６】
前記切断部材をさらに含む、請求項２５に記載の可撓性構造膨張デバイス。
【請求項２７】
前記ガイドは、膨張アセンブリに関連付けられたトラックを含み、前記トラックは、前記膨張アセンブリに向かって案内し、および前記膨張アセンブリから離れるように案内し、
前記シャトルは、前記動作位置と前記非動作位置との間で前記トラックによって誘導されるフォロアを含む、請求項２５に記載の可撓性構造膨張デバイス。
【請求項２８】
前記シャトルは、
前記切断部材を保持しているカッタホルダと、
前記切断部材が前記動作位置に移動させられたときに、前記切断部材の前記鋭利な部分を露出するように開放し、前記非動作位置において前記切断部材の前記鋭利な部分を覆うように閉鎖する、前記カッタホルダに対して移動可能なドアと
を含む、請求項２７に記載の可撓性構造膨張デバイス。
【請求項２９】
前記ドアに取り付けられたフォロアに係合する第２のガイドをさらに含む、請求項２８に記載の可撓性構造膨張デバイス。
【請求項３０】
前記第１および前記第２のガイドは、前記第２のトラックが、前記動作位置において前記切断部材から離れるように前記ドアを引っ張るように、前記トラックが前記動作位置に接近するにつれて逸れる第１および第２のトラックである、請求項２９に記載の可撓性構造膨張デバイス。
【請求項３１】
前記膨張アセンブリは、材料のウェブの第１の重複フィルム層と第２の重複フィルム層との間に挿入するように構成された膨張ノズルを有し、前記膨張ノズルは、
前記ウェブを膨張させるために層間に流体を向けるように構成された前記膨張ノズルを通って延びている前記流体導管と、
側方開口部であって、前記側方開口部において、前記切断部材の前記鋭利な部分は、前記動作位置において部分的に受け取られる、側方開口部と
を有する、請求項２５に記載の可撓性構造膨張デバイス。
【手続補正２】
【補正対象書類名】明細書
【補正対象項目名】００１３
【補正方法】変更
【補正の内容】
【００１３】
いくつかの実施形態では、ドアは、カッタアセンブリが動作位置から移動させられると、自動的に閉鎖するように構成される。ドアは、切断アセンブリが動作位置に移動させられると、切断部材を露出するよう自動的に開放されるように構成されることができる。ガイド構造が、いくつかの実施形態では、提供され、膨張アセンブリと切断アセンブリを関連付け、切断部材を動作位置と非動作位置との間で誘導し、切断アセンブリが動作と非動作位置間で移動させられるにつれて、ドアを開放および閉鎖するように移動させる。
本明細書は、例えば、以下を提供する。
（項目１）
可撓性構造膨張デバイスであって、
材料のウェブの第１の重複フィルム層と第２の重複フィルム層との間に挿入するために構成されている膨張アセンブリであって、上記膨張アセンブリは、上記層間に上記ウェブを膨張させるための流体を向かわせるように構成されている流体導管を有する、膨張アセンブリと、
上記膨張アセンブリに隣接する動作位置に磁気的に保持され、上記膨張アセンブリを覆って通過する上記フィルムを切断する切断部材と
を備えている、可撓性構造膨張デバイス。
（項目２）
上記膨張アセンブリは、膨張ノズルを有し、上記流体導管は、上記膨張ノズルを通って延び、上記膨張ノズルは、上記第１の層と上記第２の層との間の膨張チャネル内に収まるように細長く、
上記膨張ノズルと動作関連する上記切断部材は、上記膨張チャネルを切り開き、上記第１および第２の層が上記膨張ノズルから離れて移動することを可能するように位置付けられている、
項目１に記載の可撓性構造膨張デバイス。
（項目３）
上記膨張ノズルを覆って膨張方向に材料経路に沿って上記フィルムを前進させるために構成されている駆動部材をさらに備えている、項目２に記載の可撓性構造膨張デバイス。
（項目４）
上記切断部材は、動作位置において上記ノズルに対して静止して保持されているブレードであり、上記フィルムが上記材料経路に沿って移動させられるにつれて、上記チャネルを切り開く、項目３に記載の可撓性構造膨張デバイス。
（項目５）
上記細長い膨張ノズルは、上記第１の層と上記第２の層との間に画定される膨張チャネル内に縦方向に受け取られ、流体を上記第１の層と上記第２の層との間に向かわせるように構成され、かつ向けられている、項目２に記載の可撓性構造膨張デバイス。
（項目６）
上記切断部材を保持しているカッタホルダをさらに備え、上記切断部材は、上記カッタホルダを介して、上記膨張アセンブリに対して磁気的に保持される、項目１に記載の可撓性構造膨張デバイス。
（項目７）
上記カッタホルダまたは上記膨張アセンブリに関連付けられた第１の磁石と、
磁気的に保持された上記カッタホルダまたは膨張アセンブリのうちの他方に関連付けられた磁気部材と
をさらに備え、上記第１の磁石および上記磁気部材は、上記カッタホルダを上記動作位置に磁気的に保持する、項目６に記載の可撓性構造膨張デバイス。
（項目８）
上記磁気部材は、第２の磁石を備えている、項目７に記載の可撓性構造膨張デバイス。
（項目９）
上記カッタホルダを含むカッタアセンブリと、ドアとをさらに備え、上記ドアは、上記カッタホルダに従属し、上記ドアは、上記カッタホルダ内の上記切断部材に対して、上記動作位置において上記切断部材を露出させる開放位置と、上記非動作位置において上記切断部材の鋭利な部分を覆う閉鎖位置との間で移動可能である、項目６に記載の可撓性構造膨張デバイス。
（項目１０）
上記流体を上記ウェブ内に捕捉するために上記第１および第２の層を一緒にシールし、膨らまされたクッションを提供するように配置および構成されているシールアセンブリをさらに備えている、項目１に記載の可撓性構造膨張デバイス。
（項目１１）
上記切断部材は、ブレードを含み、上記ブレードは、上記動作位置において、上記膨張アセンブリに部分的に受け取られ、上記膨張アセンブリから部分的に露出されている、項目１に記載の可撓性構造膨張デバイス。
（項目１２）
上記膨張アセンブリを上記切断部材に関連付け、上記切断部材を上記動作位置と非動作位置との間で誘導するガイドをさらに備えている、項目１に記載の可撓性構造膨張デバイス。
（項目１３）
可撓性構造膨張デバイスであって、
フィルムの第１の層と第２の層との間に配置されているクッション空洞を流体で膨張させるために構成されている流体導管を有する膨張アセンブリと、
アセンブリを覆って通過するフィルムを切断するための上記膨張アセンブリに隣接した動作位置を有する切断部材と、
上記膨張アセンブリを上記切断部材に関連付け、上記切断部材を上記動作位置と非動作位置との間で誘導するガイドと
を備えている、可撓性構造膨張デバイス。
（項目１４）
上記非動作位置において、上記切断部材は、上記ガイドから除去可能かつ交換可能である、項目１３に記載の可撓性構造膨張デバイス。
（項目１５）
上記切断部材を保持し、上記ガイドに関連付けられているカッタホルダをさらに備え、上記ガイドは、上記ホルダの移動を誘導し、上記切断部材を上記動作位置と上記非動作位置との間で移動させる、項目１３に記載の可撓性構造膨張デバイス。
（項目１６）
上記ガイドは、上記膨張アセンブリに関連付けられたトラックを含み、上記トラックは、上記膨張アセンブリに向かって案内し、およびそこから離れるように案内し、
上記カッタホルダは、上記動作位置と上記非動作位置との間で上記トラックによって誘導されるフォロアを含む、項目１５に記載の可撓性構造膨張デバイス。
（項目１７）
上記トラックは、上記カッタホルダをカッタ経路に沿って誘導し、上記トラックは、上記フォロアが、上記トラックに沿った種々の場所において、上記トラックから除去されること、またはその上に位置付けられることを可能にするために、上記経路に対して横の片側が開放されている、項目１６に記載の可撓性構造膨張デバイス。
（項目１８）
上記膨張アセンブリは、膨張ノズルを有し、上記流体導管は、上記膨張ノズルを通って延び、上記膨張ノズルは、上記第１の層と上記第２の層との間の膨張チャネル内に収まるように細長く、
上記動作位置において、上記切断部材は、上記膨張アセンブリ内に部分的に受け取られ、
上記非動作位置において、上記切断部材は、上記膨張アセンブリから間隔を空けられている、
項目１３に記載の可撓性構造膨張デバイス。
（項目１９）
上記切断アセンブリを上記動作位置に磁気的に保持する磁石をさらに備えている、項目１３に記載の可撓性構造膨張デバイス。
（項目２０）
上記流体を上記ウェブ内に捕捉するために上記第１および第２の層を一緒にシールし、膨らまされたクッションを提供するように配置および構成されているシールアセンブリをさらに備えている、項目１３に記載の可撓性構造膨張デバイス。
（項目２１）
膨張可能クッション膨張デバイスであって、
フィルムの第１の層と第２の層との間に配置されているクッション空洞を流体で膨張させるために構成されている流体導管を有する膨張アセンブリと、
膨張アセンブリを覆って通過するフィルムを切断するための膨張アセンブリに隣接した動作位置に磁気的に保持されている切断部材を含むカッタアセンブリと
を備え、
上記カッタアセンブリは、ドアを含み、上記ドアは、上記動作位置において、上記切断部材を露出するように開放され、非動作位置において、上記切断要素の鋭利な部分を覆うように閉鎖される、膨張可能クッション膨張デバイス。
（項目２２）
上記ドアは、上記カッタアセンブリが上記動作位置から移動させられると、自動的に閉鎖するように構成されている、項目２１に記載の膨張可能クッション膨張デバイス。
（項目２３）
上記ドアは、上記切断アセンブリが上記動作位置に移動させられると、上記切断部材を露出するよう自動的に開放されるように構成されている、項目２２に記載の膨張可能クッション膨張デバイス。
（項目２４）
ガイド構造をさらに備え、上記ガイド構造は、上記膨張アセンブリを上記切断アセンブリに関連付け、上記切断部材を上記動作位置と上記非動作位置との間で誘導し、上記切断アセンブリが上記動作位置と上記非動作位置との間で移動させられる場合、上記ドアを開放および閉鎖するように移動させる、項目２３に記載の膨張可能クッション膨張デバイス。